(57)【特許請求の範囲】
【請求項１】
コンテナーに水平状に配置されるコンテナー用中仕切りにおいて、前記コンテナー用中仕切りは、中仕切り本体と、該中仕切り本体の相対する短辺部に沿って、位置変更可能なように配設された仕切り部材とにより構成されており、前記中仕切り本体は、相対する長辺部と相対する短辺部とからなる額縁状部と、前記相対する長辺部の中央部を連結する連結部とを有しているとともに、前記相対する長辺部の両端部には、コンテナーの相対する長側壁の両端部に形成された凹部或いはスリットに挿入可能な挿入突片が突設されており、また、前記仕切り部材を、前記中仕切り本体の額縁状部を構成する相対する長辺部に、近接する方向或いは離反する方向に、移動させることにより、前記中仕切り本体と前記仕切り部材とにより仕切られる物品収容空間の数を、変更することができるように構成されており、更に、前記仕切り部材の移動により、前記物品収容空間の数が変更された際には、前記仕切り部材の前記中仕切り本体を構成する額縁状部の長辺部方向への移動が防止されるように構成されていることを特徴とするコンテナー用中仕切り。
【発明の詳細な説明】
【技術分野】
【０００１】
本発明は、底部と該底部を囲むように立設された側壁が、一体成形された折り畳むことができない、所謂、ボックスコンテナーの内部や種々の形式の折り畳みコンテナーの内部を、水平状に仕切るコンテナー用中仕切りに関するものである。
【背景技術】
【０００２】
従来、コンテナー内に、水平に配設されたコンテナー用仕切りの一例が、特許文献１に開示されている。
【先行技術文献】
【特許文献】
【０００３】
【特許文献１】実開平０２−３１８２８号公報
【発明の概要】
【発明が解決しようとする課題】
【０００４】
上述した従来の水平に配設されたコンテナー用仕切りは、該仕切りにより仕切られる空間部の数、換言すれば、コンテナーに収容できる物品の個数を、変更することができないという問題があった。
【０００５】
本発明の目的は、上述した従来の発明が有する課題を解決することにある。
【課題を解決するための手段】
【０００６】
本発明は、上述した目的を達成するために、コンテナーに水平状に配置されるコンテナー用中仕切りにおいて、前記コンテナー用中仕切りは、中仕切り本体と、該中仕切り本体の相対する短辺部に沿って、位置変更可能なように配設された仕切り部材とにより構成されており、前記中仕切り本体は、相対する長辺部と相対する短辺部とからなる額縁状部と、前記相対する長辺部の中央部を連結する連結部とを有しているとともに、前記相対する長辺部の両端部には、コンテナーの相対する長側壁の両端部に形成された凹部或いはスリットに挿入可能な挿入突片が突設されており、また、前記仕切り部材を、前記中仕切り本体の額縁状部を構成する相対する長辺部に、近接する方向或いは離反する方向に、移動させることにより、前記中仕切り本体と前記仕切り部材とにより仕切られる物品収容空間の数を、変更することができるように構成されており、更に、前記仕切り部材の移動により、前記物品収容空間の数が変更された際には、前記仕切り部材の前記中仕切り本体を構成する額縁状部の長辺部方向への移動が防止されるように構成したものである。
【発明の効果】
【０００７】
コンテナーに水平状に配置されるコンテナー用中仕切りにおいて、コンテナー用中仕切りを、中仕切り本体と、該中仕切り本体の相対する辺部に、位置変更可能なように配設された仕切り部材とにより構成したので、中仕切りの物品収容空間を、適宜、変更することができる。
【０００８】
仕切り部材を、該仕切り部材の両端部が、相対する辺部に配置されるように構成するとともに、相対する辺部には、仕切り部材の位置変更可能なような位置変更可能部材を配設したので、中仕切りの物品収容空間を、簡単に、且つ、迅速に、変更することができる。
【０００９】
相対する辺部と前記中仕切り本体に形成された連結部との間に、仕切り部材を配置するとともに、相対する辺部と前記連結部に、仕切り部材の位置変更可能なような位置変更可能部材を配設したので、中仕切りの物品収容空間を、簡単に、且つ、迅速に、変更することができる。
【００１０】
相対する辺部と連結部とに、水平方向に移動可能な仕切り部材としての摺動体を配設したので、中仕切りの物品収容空間を、簡単に、且つ、迅速に、変更することができる。
【００１１】
相対する辺部と前記連結部とに、回動可能な仕切り部材としての回動体を配設したので、中仕切りの物品収容空間を、簡単に、且つ、迅速に、変更することができる。
【図面の簡単な説明】
【００１２】
【図１】図１は、本発明の中仕切りが配設される一例としてのコンテナーの斜視図である。
【図２】図２は、本発明の中仕切りを構成する中仕切り本体の斜視図である。
【図３】図３は、本発明の中仕切りを構成する中仕切り本体の部分拡大斜視図である。
【図４】図４は、同じく、本発明の中仕切りを構成する中仕切り本体の部分拡大斜視図である。
【図５】図５は、本発明の中仕切りを構成する仕切り部材の斜視図である。
【図６】図６は、本発明の中仕切りを構成する仕切り部材の部分拡大斜視図である。
【図７】図７は、本発明の中仕切りを構成する仕切り部材の斜視図である。
【図８】図８は、本発明の中仕切りの斜視図である。
【図９】図９は、本発明の中仕切りの部分拡大斜視図である。
【図１０】図１０は、本発明の中仕切りの斜視図である。
【図１１】図１１は、本発明の中仕切りの部分拡大斜視図である。
【図１２】図１２は、本発明の別の実施例の中仕切りを構成する中仕切り本体の斜視図である。
【図１３】図１３は、本発明の別の実施例の中仕切りを構成する中仕切り本体の部分拡大斜視図である。
【図１４】図１４は、本発明の別の実施例の中仕切りを構成する中仕切り本体の裏面斜視図である。
【図１５】図１５は、本発明の別の実施例の中仕切りを構成する仕切り部材の斜視図である。
【図１６】図１６は、本発明の別の実施例の中仕切りを構成する仕切り部材の部分拡大斜視図である。
【図１７】図１７は、本発明の別の実施例の中仕切りの斜視図である。
【図１８】図１８は、同じく、本発明の別の実施例の中仕切りの斜視図である。
【図１９】図１９は、本発明の更に別の実施例の中仕切りを構成する中仕切り本体の斜視図である。
【図２０】図２０は、本発明の更に別の実施例の中仕切りを構成する中仕切り本体の部分拡大斜視図である。
【図２１】図２１は、本発明の更に別の実施例の中仕切りを構成する中仕切り本体の部分拡大斜視図である。
【図２２】図２２は、本発明の更に別の実施例の中仕切りを構成する仕切り部材の斜視図である。
【図２３】図２３は、本発明の更に別の実施例の中仕切りを構成する中仕切り本体と仕切り部材の部分拡大分解斜視図である。
【図２４】図２４は、本発明の更に別の実施例の中仕切りの部分拡大斜視図である。
【図２５】図２５は、本発明の更に別の実施例の中仕切りの斜視図である。
【図２６】図２６は、同じく、本発明の更に別の実施例の中仕切りの斜視図である。
【図２７】図２７は、本発明のなお更に別の実施例の中仕切りを構成する中仕切り本体の斜視図である。
【図２８】図２８は、本発明のなお更に別の実施例の中仕切りを構成する中仕切り本体の部分拡大斜視図である。
【図２９】図２９は、本発明のなお更に別の実施例の中仕切りを構成する中仕切り本体の部分拡大水平断面図である。
【図３０】図３０は、本発明のなお更に別の実施例の中仕切りを構成する中仕切り本体の部分拡大斜視図である。
【図３１】図３１は、本発明のなお更に別の実施例の中仕切りを構成する中仕切り本体の部分拡大水平断面図である。
【図３２】図３２は、本発明のなお更に別の実施例の中仕切りを構成する仕切り部材の斜視図である。
【図３３】図３３は、本発明のなお更に別の実施例の中仕切りを構成する仕切り部材の平面図である。
【図３４】図３４は、本発明のなお更に別の実施例の中仕切りを構成する中仕切り本体と仕切り部材の部分拡大分解斜視図である。
【図３５】図３５は、本発明のなお更に別の実施例の中仕切りの部分拡大斜視図である。
【図３６】図３６は、本発明のなお更に別の実施例の中仕切りの部分拡大水平断面図である。
【図３７】図３７は、本発明のなお更に別の実施例の中仕切りの斜視図である。
【図３８】図３８は、同じく、本発明のなお更に別の実施例の中仕切りの斜視図である。
【図３９】図３９は、本発明の更にまた別の実施例の中仕切りを構成する中仕切り本体の斜視図である。
【図４０】図４０は、本発明の更にまた別の実施例の中仕切りを構成する中仕切り本体の部分拡大斜視図である。
【図４１】図４１は、本発明の更にまた別の実施例の中仕切りを構成する中仕切り本体の部分拡大斜視図である。
【図４２】図４２は、本発明の更にまた別の実施例の中仕切りを構成する仕切り部材の斜視図である。
【図４３】図４３は、同じく、本発明の更にまた別の実施例の中仕切りを構成する仕切り部材の斜視図である。
【図４４】図４４は、本発明の更にまた別の実施例の中仕切りの部分拡大斜視図である。
【図４５】図４５は、同じく、本発明の更にまた別の実施例の中仕切りの部分拡大斜視図である。
【図４６】図４６は、本発明の更にまた別の実施例の中仕切りの斜視図である。
【図４７】図４７は、同じく、本発明の更にまた別の実施例の中仕切りの斜視図である。
【実施例】
【００１３】
以下に、本発明の実施例について説明するが、本発明の趣旨を越えない限り、何ら本実施例に限定されるものではない。
【００１４】
図１において、Ｃは、コンテナーの一例としてのボックスコンテナーであり、底部ｃ１と、底部ｃ１の相対する一方の辺部に立設された相対する長側壁ｃ２と、底部ｃ１の相対するもう一方の辺部に立設された相対する短側壁ｃ３とを有しており、相対する長側壁ｃ２の両端部には、後述する中仕切り部材に形成された支持辺突片が挿入可能な凹部やスリットｃ２ａが形成されている。
【００１５】
先ず最初に、図２〜図４を用いて、本発明のコンテナー用中仕切り（以下、単に、中仕切りともいう。）Ｐ１を構成する中仕切り本体Ｐ１’について説明する。
【００１６】
中仕切り本体Ｐ１’は、相対する長辺部１ａと相対する短辺部１ｂとからなる額縁状部１と、相対する長辺部１ａの中央部を連結する連結部２とを有しており、額縁状部１と連結部２とは、一体成形されている。また、相対する長辺部１ａの両端部には、コンテナーＣの相対する長側壁ｃ２の両端部に形成されたスリットｃ２ａに挿入可能な挿入突片３が突設されている。
【００１７】
額縁状部１を形成する相対する短辺部１ｂの中央領域には、それぞれ、短辺部１ｂの上面１ｂ１から一段下がった底部４ａと、短辺部１ｂに垂直な相対する側部４ｂと、短辺部１ｂの垂直外面１ｂ２に沿った外壁部４ｃと、底部４ａの中央部と外壁部４ｃの中央部との隅部に形成された分離ブロック４ｄとにより形成された、上部及び連結部２側側部が開放された一対の端部側凹部５が形成されている。
【００１８】
各端部側凹部５を形成する底部４ａには、短辺部１ｂに沿って、外壁部４ｃ側の外側スリットｖ１と、連結部２側に位置する内側スリットｖ２と、外側スリットｖ１と内側スリットｖ２との中間に位置する中央スリットｖ３とが穿設されており、また、外側スリットｖ１と中央スリットｖ３との側部４ｂ側の端部を連結する側部側連結スリットｖ４が穿設されているとともに、内側スリットｖ２と中央スリットｖ３との分離ブロック４ｄ側の端部を連結する分離ブロック側連結スリットｖ５が穿設されている。
【００１９】
上述したように、各端部側凹部５を形成する底部４ａに、スリットｖ１、ｖ２、ｖ３、ｖ４、ｖ５を穿設することにより、一対の端部側凹部５を形成する底部４ａには、それぞれ、短辺部１ｂに沿って延在する一対の弾性片６Ａ、６Ｂが形成されている。なお、一対の弾性片６Ａ、６Ｂのうち、短辺部１ｂの垂直外面１ｂ２側に位置する弾性片６Ａを、外側弾性片６Ａと称し、連結部２側に位置する弾性片６Ｂを、内側弾性片６Ｂと称する。
【００２０】
また、外側弾性片６Ａ及び内側弾性片６Ｂの自由端部には、垂直端面６ａと、垂直端面６ａから、外側弾性片６Ａ及び内側弾性片６Ｂの根元部方向に傾斜した傾斜面６ｂと、相対する垂直側面６ｃとから形成された係止突部６Ａ’、６Ｂ’が、それぞれ、形成されている。
【００２１】
上述した外側弾性片６Ａと内側弾性片６Ｂとは、外側弾性片６Ａの係止突部６Ａ’が、側部４ｂ側に位置し、また、内側弾性片６Ｂの係止突部６Ｂ’が、分離ブロック４ｄ側に位置する以外は、同一に構成されている。
【００２２】
更に、一対の端部側凹部５を構成する、短辺部１ｂの垂直外面１ｂ２に沿った外壁部４ｃには、相対する側部４ｂ付近まで延在する水平スリット４ｃ１が穿設されている。
【００２３】
連結部２には、連結部２の上面２ａから一段下がった底部７ａと連結部２の長手方向に垂直な相対する側部７ｂとにより、上部及び相対する短辺部１ｂ側が開放された中央部側凹部８が形成されている。また、底部７ａには、連結部２の長手方向に沿って、２条のスリット７ａ１が穿設されているとともに、底部７ａの中央部には、分離突片７ａ２が立設されている。
【００２４】
次に、図５〜図７を用いて、本発明の中仕切りＰ１を構成する仕切り部材Ｐ１”について説明する。
【００２５】
仕切り部材Ｐ１”は、細長で板状の杆状本体９ａと、杆状本体９ａの相対する短辺側端面９ａ１から、それぞれ、杆状本体９ａの長手方向に沿って延設された嵌合片９ｂとを有している。嵌合片９ｂの上面９ｂ１と杆状本体９ａの上面９ａ２とは、面一に形成されており、また、嵌合片９ｂの厚さを、杆状本体９ａの厚さより薄くすることにより、嵌合片９ｂの下面９ｂ２と杆状本体９ａの下面９ａ３と杆状本体９ａの相対する短辺側端面９ａ１との間には、段部９ｃが形成されている。更に、嵌合片９ｂの垂直端面９ｂ３には、挿入突片９ｂ４が、垂直端面９ｂ３に垂直に突設されている。
【００２６】
また、杆状本体９ａの下面中央部には、中仕切り本体Ｐ１’の連結部２に形成された中央部側凹部８を構成する底部７ａが嵌合する嵌合凹部９ｄが形成されている。嵌合凹部９ｄは、天部９ｄ１と、杆状本体９ａの長手方向に垂直な相対する側面９ｄ２とから形成されている。また、天部９ｄ１には、上述した連結部２に形成された中央部側凹部８を構成する底部７ａに穿設された２条のスリット７ａ１に、それぞれ、嵌入可能で、且つ、杆状本体９ａの長手方向に沿って、所定の間隔（２条のスリット７ａ１間の間隔と略同じ間隔）を置いて、一対の嵌入ロッド９ｅが垂下されている。嵌入ロッド９ｅは、スリット７ａ１の間隙と略同じ径の軸部９ｅ１と、軸部９ｅ１の下端に形成された、軸部９ｅ１の径より大径の膨出部９ｅ２とから形成されている。
【００２７】
次に、図８〜図１１を用いて、仕切り本体Ｐ１’への一対の中仕切り部材Ｐ１”の取り付けについて説明する。
【００２８】
仕切り部材Ｐ１”を構成する杆状本体９ａの下面中央部に形成された嵌合凹部９ｄを、上方から、中仕切り本体Ｐ１’の連結部２に形成された中央部側凹部８を構成する底部７ａに嵌合するとともに、中仕切り本体Ｐ１’の連結部２に形成された中央部側凹部８を構成する底部７ａに穿設された２条のスリット７ａ１に、仕切り部材Ｐ１”の嵌合凹部９ｄを形成する天部９ｄ１に垂下された一対の嵌入ロッド９ｅを、それぞれ、対応するスリット７ａ１に嵌入する。このように構成されているので、仕切り部材Ｐ１”を構成する一対の杆状本体９ａは、中仕切り本体Ｐ１’の額縁状部１を構成する相対する長辺部１ａに、近接する方向或いは離反する方向に、適宜、移動することができるように構成されている。
【００２９】
また、中仕切り本体Ｐ１’の額縁状部１を構成する相対する短辺部１ｂの端部側凹部５の底部４ａに形成された外側弾性片６Ａに突設された係止突部６Ａ’の垂直端面６ａと、該垂直端面６ａと対向する側部４ｂとの間には、仕切り部材Ｐ１”の嵌合片９ｂが嵌合する間隙Ｄ１が形成されており、また、内側弾性片６Ｂに突設された係止突部６Ｂ’の垂直端面６ａと、該垂直端面６ａと対向する分離ブロック４ｄの側部４ｄ１との間にも、同じ幅の仕切り部材Ｐ１”の嵌合片９ｂが嵌合する間隙Ｄ２が形成されている。これら間隙Ｄ１、Ｄ２に、仕切り部材Ｐ１”の嵌合片９ｂが嵌合されるとともに、仕切り部材Ｐ１”の嵌合片９ｂの垂直端面９ｂ３に突設された挿入突片９ｂ４が、中仕切り本体Ｐ１’の額縁状部１を構成する相対する短辺部１ｂの外壁部４ｃに穿設された水平スリット４ｃ１に挿入されるように構成されている。
【００３０】
上述したようにして、中仕切り本体Ｐ１’に、仕切り部材Ｐ１”が取り付けられて、中仕切り本体Ｐ１’と仕切り部材Ｐ１”とからなる中仕切りＰ１が形成されることになる。
【００３１】
図８及び図９に示されているように、仕切り部材Ｐ１”の嵌合片９ｂが、中仕切り本体Ｐ１’の額縁状部１を構成する相対する短辺部１ｂの端部側凹部５の底部４ａに形成された内側弾性片６Ｂに突設された係止突部６Ｂ’の垂直端面６ａと、該垂直端面６ａと対向する分離ブロック４ｄの側部４ｄ１との間に形成された間隙Ｄ２に嵌合された際には、仕切り部材Ｐ１”が、分離突片７ａ２に近接した位置、換言すれば、中仕切り本体Ｐ１’の額縁状部１を構成する相対する長辺部１ａから離反した位置にあり、この状態においては、中仕切りＰ１には、額縁状部１と連結部２と互いに近接した一対の仕切り部材Ｐ１”とにより、同じ大きさの大きな４つの物品挿入空間Ａ１が形成されるように構成されている。
【００３２】
また、図１０及び図１１に示されているように、仕切り部材Ｐ１”の嵌合片９ｂが、中仕切り本体Ｐ１’の額縁状部１を構成する相対する短辺部１ｂの端部側凹部５の底部４ａに形成された外側弾性片６Ａに突設された係止突部６Ａ’の垂直端面６ａと、端部側凹部５を形成する側部４ｂとの間に形成された間隙Ｄ１に嵌合された際には、仕切り部材Ｐ１”が、中仕切り本体Ｐ１’の額縁状部１を構成する相対する長辺部１ａに近接した位置、換言すれば、分離突片７ａ２から離反した位置にあり、この状態においては、中仕切りＰ１には、額縁状部１と連結部２と互いに離反した状態の一対の仕切り部材Ｐ１”とにより、同じ大きさの小さな６つの物品挿入空間Ａ２が形成されるように構成されている。
【００３３】
図９に示されているように、内側弾性片６Ｂと分離ブロック４ｄとの間に形成された間隙Ｄ２に嵌合されている仕切り部材Ｐ１”を、外側弾性片６Ａと端部側凹部５の側部４ｂとの間に形成された間隙Ｄ１に、その位置を変更する場合には、内側弾性片６Ｂを、内側弾性片６Ｂの弾勢力に抗して、下方に押すことにより、係止突部６Ｂ’を、端部側凹部５を構成する底部４ａの上面から引っ込ませ、その後、仕切り部材Ｐ１”を、外側弾性片６Ａと端部側凹部５の側部４ｂとの間に形成された間隙Ｄ１に嵌合する。この際、仕切り部材Ｐ１”を、中仕切り本体Ｐ１’の額縁状部１を構成する相対する長辺部１ａ方向に移動させることになるが、仕切り部材Ｐ１”の嵌合片９ｂは、外側弾性片６Ａの係止突部６Ａ’に形成された傾斜面６ｂに沿って、長辺部１ａ方向に移動することができるので、外側弾性片６Ａを、外側弾性片６Ａの弾勢力に抗して、下方に押す必要はない。従って、仕切り部材Ｐ１”の位置変更の作業性が向上する。
【００３４】
同様に、図１１に示されているように、外側弾性片６Ａと端部側凹部５の側部４ｂとの間に形成された間隙Ｄ１に嵌合されている仕切り部材Ｐ１”を、内側弾性片６Ｂと分離ブロック４ｄとの間に形成された間隙Ｄ２に、その位置を変更する場合には、外側弾性片６Ａを、外側弾性片６Ａの弾勢力に抗して、下方に押すことにより、係止突部６Ａ’を、端部側凹部５を構成する底部４ａの上面から引っ込ませ、その後、仕切り部材Ｐ１”を、内側弾性片６Ｂと分離ブロック４ｄとの間に形成された間隙Ｄ２に嵌合する。この際、仕切り部材Ｐ１”を、分離ブロック４ｄ方向に移動させることになるが、仕切り部材Ｐ１”の嵌合片９ｂは、内側弾性片６Ｂの係止突部６Ｂ’に形成された傾斜面６ｂに沿って、分離ブロック４ｄ方向に移動することができるので、内側弾性片６Ｂを、内側弾性片６Ｂの弾勢力に抗して、下方に押す必要はない。従って、仕切り部材Ｐ１”の位置変更の作業性が向上する。
【００３５】
上述したように、中仕切り本体Ｐ１’の額縁状部１を構成する相対する長辺部１ａに、仕切り部材Ｐ１”を、近接或いは離反する方向に移動することができるように構成したので、中仕切り構造Ｐ１の物品収容空間Ａ１、Ａ２を、適宜、変更することができる。
【００３６】
また、仕切り部材Ｐ１”の位置変更を、中仕切り本体Ｐ１’に配設された外側弾性片６Ａ或いは内側弾性片６Ｂを、下方に押すことにより行うように構成したので、仕切り部材Ｐ１”の位置変更を、簡単に、且つ、迅速に行うことができる。
【００３７】
更に、中仕切り本体Ｐ１’の額縁状部１を構成する相対する短辺部１ｂの端部側凹部５の底部４ａに形成された外側弾性片６Ａに突設された係止突部６Ａ’の垂直端面６ａと、該垂直端面６ａと対向する側部４ｂとの間に、仕切り部材Ｐ１”の嵌合片９ｂが嵌合する間隙Ｄ１が形成されており、また、内側弾性片６Ｂに突設された係止突部６Ｂ’の垂直端面６ａと、該垂直端面６ａと対向する分離ブロック４ｄの側部４ｄ１との間に、仕切り部材Ｐ１”の嵌合片９ｂが嵌合する間隙Ｄ２が形成されているので、このような間隙Ｄ１、Ｄ２に嵌合されているので、仕切り部材Ｐ１”が、中仕切り本体Ｐ１’を構成する額縁状部１の長辺部１ａ方向に、移動するようなことを防止することができる。
【００３８】
次に、図１２〜図１８を用いて、本発明の他の実施例の中仕切りＰ２について説明する。
【００３９】
本実施例の中仕切りＰ２においても、中仕切りＰ２を構成する中仕切り本体Ｐ２’は、上述した中仕切り本体Ｐ１’と同様であるので、その詳細な説明は省略する。
【００４０】
図１２〜図１４に示されているように、額縁状部１の相対する短辺部１ｂの中央部には、短辺部１ｂの長手方向に対して垂直に、４個の短辺部側挿通孔１０ａが穿設されており、また、短辺部側挿通孔１０ａの上方に位置する短辺部１ｂの上面には、短辺部側挿通孔１０ａに対応して、係止透孔１０ｂが穿設されている。連結部２の中央部にも、連結部２の長手方向に対して垂直に、且つ、短辺部側挿通孔１０ａに対向するように、４個の連結部側挿通孔１１ａが穿設されており、また、連結部側挿通孔１１ａの上方に位置する連結部２の上面には、連通透孔１１ｂが穿設されている。なお、連通透孔１１ｂは、省略することもできる。
【００４１】
次に、図１５及び図１６を用いて、中仕切りＰ２を構成する仕切り部材Ｐ２”について説明する。
【００４２】
本実施例においても、仕切り部材Ｐ２”は、上述した実施例と同様に、細長な板状の杆状体１２を有している。杆状体１２の両端部に、杆状体１２の長手方向に沿った相対するスリット１３ａと、該スリット１３ａの杆状体１２の中央寄りの端部に連通された連結スリット１３ｂとにより、仕切り部材Ｐ２”を構成する杆状体１２の両端部には、弾性片１４が形成されている。また、弾性片１４の自由端部には、杆状体１２の中央寄りに形成された垂直面１５ａと該垂直面１５ａの上端から、杆状体１２の端部方向に、下方に延在する傾斜面１５ｂとを有する係止突部１５が突設されている。
【００４３】
仕切り部材Ｐ２”を構成する杆状体１２を、中仕切り本体Ｐ２’を構成する額縁状部１の短辺部１ｂに穿設された短辺部側挿通孔１０ａ及び連結部２に穿設された連結部側挿通孔１１ａに挿通することにより、位置変更可能な杆状体１２を、中仕切り本体Ｐ２’に取り付けることができるように構成されている。杆状体１２を、短辺部側挿通孔１０ａ及び連結部側挿通孔１１ａに挿通する際には、杆状体１２の両端部に形成されている弾性片１４を、下方に押して、弾性片１４の自由端部に突設された係止突部１５を、杆状体１２の上面から引っ込ませることにより、杆状体１２を、適当な、短辺部側挿通孔１０ａ及び連結部側挿通孔１１ａに挿通することになる。なお、短辺部側挿通孔１０ａ及び連結部側挿通孔１１ａに、杆状体１２を挿通する際には、係止突部１５の傾斜面１５ｂを先にして、杆状体１２が、短辺部側挿通孔１０ａ及び連結部側挿通孔１１ａに挿通されることになるので、作業者が、手で、弾性片１４の自由端部に突設された係止突部１５を、杆状体１２の上面から引っ込ませる必要はない。
【００４４】
上述したように、仕切り部材Ｐ２”を構成する杆状体１２を、中仕切り本体Ｐ２’に取り付けて、中仕切りＰ２を構成した際には、杆状体１２の両端部に形成された弾性片１４の自由端部に突設された係止突部１５が、中仕切り本体Ｐ２’を構成する額縁状部１の短辺部１ｂに穿設された係止透孔１０ｂに嵌合されるように構成されており、また、係止突部１５の垂直面１５ａが、係止透孔１０ｂの連結部２側に位置する端面１０ｂ’に、当接或いは近接して位置するように構成されている。従って、杆状体１２が、中仕切り部材本体Ｐ２’を構成する長辺部１ａに沿って移動するようなことを防止することができる。
【００４５】
図１７に示されているように、杆状体１２を、額縁状部１の短辺部１ｂに穿設された４個の短辺部側挿通孔１０ａのうちの中央寄りに位置する２個の短辺部側挿通孔１０ａに挿通するとともに、杆状体１２を、連結部２に穿設された４個の連結部側挿通孔１１ａのうちの中央寄りに位置する２個の連結部側挿通孔１１ａに挿通することにより、中仕切りＰ２には、額縁状部１と連結部２と互いに近接して配置された一対の杆状体１２とにより、同じ大きさの大きな４つの物品挿入空間Ａ１が形成されるように構成されている。
【００４６】
また、図１８に示されているように、杆状体１２を、額縁状部１の短辺部１ｂに穿設された４個の短辺部側挿通孔１０ａのうちの外寄り（長辺部１ａ寄り）に位置する２個の短辺部側挿通孔１０ａに挿通するとともに、杆状体１２を、連結部２に穿設された４個の連結部側挿通孔１１ａのうちの外寄りに位置する２個の連結部側挿通孔１１ａに挿通することにより、中仕切りＰ２には、額縁状部１と連結部２と互いに離反するように配置された一対の杆状体１２とにより、同じ大きさの小さな６つの物品挿入空間Ａ２が形成されるように構成されている。
【００４７】
なお、杆状体１２を、中仕切り本体Ｐ２’から取り外す際には、係止透孔１０ｂの上方から、係止突部１５を下方に押して、弾性片１４を下方に弾性変形させて、係止突部１５を、係止透孔１０ｂから排出させ、その後、杆状体１２を、短辺部側挿通孔１０ａ及び連結部側挿通孔１１ａから引き抜くことにより行うことができるように構成されている。
【００４８】
上述したように、仕切り部材Ｐ２”としての杆状体１２を、その位置が変更可能に、中仕切り本体Ｐ２’を構成する額縁状部１の短辺部１ｂに取り付けるように構成したので、中仕切りＰ２の物品収容空間Ａ１、Ａ２を、適宜、変更することができる。
【００４９】
また、杆状体１２を、額縁状部１の短辺部１ｂに穿設された短辺部側挿通孔１０ａ及び連結部２に穿設された連結部側挿通孔１１ａに挿通することにより、中仕切りＰ２の物品収容空間Ａ１、Ａ２を、適宜、変更することができるので、物品収容空間Ａ１、Ａ２の変更作業の作業性が向上する。
【００５０】
次に、図１９〜図２６を用いて、更に他の中仕切りＰ３について説明する。
【００５１】
本実施例の中仕切りＰ３においても、上述した中仕切りＰ１、Ｐ２と同様に、額縁状部１と連結部２とからなる中仕切り本体Ｐ３’は、上述した実施例の中仕切り本体Ｐ１’、Ｐ２’と同様であるので、その詳細な説明は省略する。
【００５２】
額縁状部１を形成する相対する短辺部１ｂには、それぞれ、短辺部１ｂの中央部に形成された分離ブロック１６を挟んで、一対の端部側凹部１７が形成されている。端部側凹部１７は、底部１７ａと、分離ブロック１６の相対する側面１６ａのうち一方の側面１６ａと、該側面１６ａと対向する側面１７ｂと、短辺部１ｂの垂直外面１ｂ２に沿った外壁部１７ｃの奥壁面１７ｃ’とにより形成されており、また、端部側凹部１７を形成する外壁部１７ｃの奥壁面１７ｃ’の略中央部の下端部には、水平孔１７ｃ１が形成されている。端部側凹部１７は、上方と連結部２側に位置する側方が開放されている。
【００５３】
また、連結部２には、短辺部１ｂ側の両側に凹部を形成することにより、凹部間を分離する、連結部２に長手方向に沿った分離土手部１８が形成されている。この分離土手部１８の中央部に、分離土手部１８に垂直に、上述した、短辺部１ｂの中央部に形成された分離ブロック１６と同様の分離ブロック１９を形成することにより、連結部２には、４個の連結部側凹部２０が形成されている。
【００５４】
上述した連結部側凹部２０は、底部２０ａと、分離ブロック１９の相対する側面１９ａのうち一方の側面１９ａと、該側面１９ａと対向する側面２０ｂと、分離土手部１８の相対する側面を形成する奥壁面２０ｃとにより形成されており、また、奥壁面２０ｃの略中央部の下端部には、水平孔２０ｃ１が形成されている。４個の連結部側凹部２０は、上方と短辺部１ｂ側に位置する側方が開放されている。
【００５５】
上述した端部側凹部１７と連結部側凹部２０とは同じ大きさ、換言すれば、幅、奥行き及び深さが同じに形成されている。また、各短辺部１ｂに、分離ブロック１６を挟んで形成された一対の端部側凹部１７、及び、連結部に、分離ブロック１９を挟んで形成された一対の連結部側凹部２０は、相対する短辺部１ｂの中心を結んだ中心線Ｌ１に対して、線対称となるように構成されている。
【００５６】
次に、図２２及び図２３を用いて、中仕切りＰ３を構成する仕切り部材Ｐ３”について説明する。
【００５７】
仕切り部材Ｐ３”は、角柱状本体２１ａと、角柱状本体２１ａの長手方向の両端面２１ａ１に形成された端部ブロック２１ｂとを有している。端部ブロック２１ｂの角柱状本体２１ａの長手方向に沿った相対する側面２１ｂ１の一方の側面２１ｂ１は、角柱状本体２１ａの長手方向に沿った相対する長側面２１ａ２のうちの一方の長側面２１ａ２と略面一に構成されており、また、端部ブロック２１ｂのもう一方の側面２１ｂ１は、角柱状本体２１ａのもう一方の長側面２１ａ２から突出するように構成されており、このように構成することにより、角柱状本体２１ａに形成された端部ブロック２１ｂの一端部が、角柱状本体２１ａのもう一方の長側面２１ａ２から突出している。以下、この角柱状本体２１ａのもう一方の長側面２１ａ２から突出している端部ブロック２１ｂ部分を、端部ブロック２１ｂの突出ブロック部と称し、符号２１ｂ’を付す。また、端部ブロック２１ｂの先端面２１ｂ２の突出ブロック部２１ｂ’側に位置する面には、枢支ピン２１ｃが、先端面２１ｂ２に垂直に突設されている。
【００５８】
１個の角柱状本体２１ａと、該角柱状本体２１ａの両端面２１ａ１に形成された２個の端部ブロック２１ｂとからなる一体成形された仕切り部材Ｐ３”は、一方の端部ブロック２１ｂに突設された枢支ピン２１ｃを、額縁状部１を形成する短辺部１ｂに形成された端部側凹部１７を構成する奥壁面１７ｃ’に形成された水平孔１７ｃ１に嵌合するとともに、もう一方の端部ブロック２１ｂに突設された枢支ピン２１ｃを、連結部２に形成された連結部側凹部２０を構成する奥壁面２０ｃに形成された水平孔２０ｃ１に嵌合させることにより、相対する一方の短辺部１ｂと連結部２との間に、２本の仕切り部材Ｐ３”が取り付けられ、また、相対するもう一方の短辺部１ｂと連結部２との間に、２本の仕切り部材Ｐ３”が取り付けられるように構成されている。
【００５９】
額縁状部１を形成する長辺部１ａに平行に配設されている、相対する一対の仕切り部材Ｐ３”を、一方の端部ブロック２１ｂに突設された枢支ピン２１ｃと該枢支ピン２１ｃが嵌合された短辺部１ｂの端部側凹部１７に形成された水平孔１７ｃ１とにより形成される枢支点、及び、もう一方の端部ブロック２１ｂに突設された枢支ピン２１ｃと該枢支ピン２１ｃが嵌合された連結部２の連結部側凹部２０に形成された水平孔２０ｃ１とにより形成される枢支点を中心に、一対の仕切り部材Ｐ３”を回動させて、図２５に示されているように、仕切り部材Ｐ３”を、互いに近接させると、中仕切りＰ３には、額縁状部１と連結部２と４本の仕切り部材Ｐ３”とにより、同じ大きさの大きな４つの物品挿入空間Ａ１が形成されるように構成されている。
【００６０】
上述した状態から、仕切り部材Ｐ３”を、互いに離反するように回動させると、図２６に示されているように、中仕切りＰ３には、額縁状部１と連結部２と４本の仕切り部材Ｐ３”との間、及び、離反された仕切り部材Ｐ３”との間に、同じ大きさの小さな６つの物品挿入空間Ａ２が形成されることになる。
【００６１】
上述したように、位置変更可能な仕切り部材Ｐ３”を、中仕切り本体Ｐ３’に配設することにより、中仕切りＰ３の物品収容空間Ａ１、Ａ２を、適宜、変更することができる。
【００６２】
また、仕切り部材Ｐ３”を回動させることにより、中仕切りＰ３の物品収容空間Ａ１、Ａ２を、簡単に、且つ、迅速に変更することができるので、物品収容空間Ａ１、Ａ２の変更作業の作業性は向上する。
【００６３】
次に、図２７〜図３８を用いて、更に他の中仕切りＰ４について説明する。
【００６４】
本実施例の中仕切りＰ４においても、上述した中仕切りＰ１、Ｐ２、Ｐ３と同様に、額縁状部１と連結部２とからなる中仕切り本体Ｐ４’を有しており、中仕切り本体Ｐ４’は、上述した実施例の中仕切り本体Ｐ１’、Ｐ２’、Ｐ３’と同様であるので、その詳細な説明は省略する。
【００６５】
額縁状部１の相対する短辺部１ｂの中央部には、上方と短辺部１ｂの垂直外面１ｂ２側が開放された中央嵌合凹部２６が形成されており、また、中央嵌合凹部２６の両側には、短辺部１ｂの長手方向に沿って、同じく、上方と短辺部１ｂの垂直外面１ｂ２側が開放された側部嵌合凹部２７が形成されている。上記の中央嵌合凹部２６を、以下、側部・上部開放中央嵌合凹部２６と称し、側部嵌合凹部２７を、側部・上部開放側部嵌合凹部２７と称する。
【００６６】
側部・上部開放中央嵌合凹部２６は、底部２６ａと、短辺部１ｂの長手方向に垂直な相対する側面２６ｂと、短辺部１ｂの垂直内面１ｂ３に沿って形成された内壁２６ｃとから構成されており、内壁２６ｃには、方形状の嵌合透孔２６ｃ１が穿設されているとともに、相対する側面２６ｂの嵌合透孔２６ｃ１付近には、縦方向に延在する一条の垂直突条２６ｂ１が突設されている。また、同様に、側部・上部開放側部嵌合凹部２７も、底部２７ａと、短辺部１ｂの長手方向に垂直な相対する側面２７ｂと、短辺部１ｂの垂直内面１ｂ３に沿って形成された内壁２７ｃとから構成されており、内壁２７ｃには、方形状の嵌合透孔２７ｃ１が穿設されているとともに、相対する側面２７ｂの嵌合透孔２７ｃ１には、縦方向に延在する一条の垂直突条２７ｂ１が突設されている。更に、側部・上部開放中央嵌合凹部２６の横幅は、側部・上部開放側部嵌合凹部２７の横幅より、広く形成されている。
【００６７】
連結部２の中央部には、上方のみ開放された中央嵌合凹部２８が形成されており、また、中央嵌合凹部２８の両側には、連結部２の長手方向に沿って、同じく、上方のみ開放された側部嵌合凹部２９が形成されている。上記の中央嵌合凹部２８を、以下、上部開放中央嵌合凹部２８と称し、側部嵌合凹部２９を、上部開放側部嵌合凹部２９と称する。
【００６８】
連結部２に形成された上部開放中央嵌合凹部２８は、底部２８ａと、連結部２の長手方向に垂直な相対する側面２８ｂと、連結部２の相対する側面２ｂに沿って形成された、相対する壁２８ｃとから構成されており、相対する壁２８ｃには、それぞれ、方形状の嵌合透孔２８ｃ１が穿設されているとともに、相対する側面２８ｂには、嵌合透孔２８ｃ１付近に位置する一対の縦方向に延在する垂直突条２８ｂ１が突設されている。同様に、上部開放側部嵌合凹部２９も、底部２９ａと、連結部２の長手方向に垂直な相対する側面２９ｂと、連結部２の相対する側面２ｂに沿って形成された、相対する壁２９ｃとから構成されており、相対する壁２９ｃには、それぞれ、方形状の嵌合透孔２９ｃ１が穿設されているとともに、相対する側面２９ｂには、嵌合透孔２９ｃ１付近に位置する一対の縦方向に延在する垂直突条２９ｂ１が設されている。更に、上部開放中央嵌合凹部２８の横幅は、上部開放側部嵌合凹部２９の横幅より、広く形成されている。
【００６９】
短辺部１ｂに形成された側部・上部開放中央嵌合凹部２６と連結部２に形成された上部開放中央嵌合凹部２８とは、同じ幅に形成されており、また、短辺部１ｂに形成された側部・上部開放側部嵌合凹部２７と連結部２に形成された上部開放側部嵌合凹部２９とは、同じ幅に形成されている。更に、短辺部１ｂに形成された側部・上部開放中央嵌合凹部２６と連結部２に形成された上部開放中央嵌合凹部２８、及び、短辺部１ｂに形成された側部・上部開放側部嵌合凹部２７と連結部２に形成された上部開放側部嵌合凹部２９とは、上述した相対する短辺部１ｂの中心を結んだ中心線Ｌ１に対して、線対称となるように構成されている。
【００７０】
次に、短辺部１ｂに形成された側部・上部開放中央嵌合凹部２６と連結部２に形成された上部開放中央嵌合凹部２８とに嵌合される摺動体Ｓ１、及び、短辺部１ｂに形成された側部・上部開放側部嵌合凹部２７と連結部２に形成された上部開放側部嵌合凹部２９とに嵌合される摺動体Ｓ２について説明するが、大小の差はあるが、摺動体Ｓ１と摺動体Ｓ２の基本的構成については、同じであるので、図３２及び図３３を用いて、摺動体Ｓ１についてのみ説明する。また、短辺部１ｂに形成された側部・上部開放中央嵌合凹部２６と連結部２に形成された上部開放中央嵌合凹部２８とへの摺動体Ｓ１の嵌合状態や嵌合方法については、実質的に同じであるので、以下については、短辺部１ｂに形成された側部・上部開放中央嵌合凹部２６への摺動体Ｓ１の嵌合状態や嵌合方法についてのみ説明する。摺動体Ｓ１、Ｓ２は、上述した実施例における、仕切り部材Ｐ１”、Ｐ２”、Ｐ３”を構成する。
【００７１】
仕切り部材Ｐ４”としての摺動体Ｓ１は、略角柱状の本体ｓ１を有しており、本体ｓ１は、天部ｓ１ａと裏面部（図示されていない。）とを有しており、また、側部・上部開放中央嵌合凹部２６に、摺動体Ｓ１を嵌合した際に、側部・上部開放中央嵌合凹部２６を形成する相対する側面２６ｂと対向する、相対する側面ｓ１ｂを有しており、更に、側部・上部開放中央嵌合凹部２６に、摺動体Ｓ１を取り付ける際に、側部・上部開放中央嵌合凹部２６を形成する内壁２６ｃに穿設された嵌合透孔２６ｃ１に、先に嵌合される側に形成された前面ｓ１ｃを有しており、なお更に、前面ｓ１ｃと相対する面には、係止背板ｓ２が形成されている。係止背板ｓ２の上端ｓ２ａは、本体ｓ１の天部ｓ１ａを越えて上方に延在するとともに、係止背板ｓ２の側端ｓ２ｂは、本体ｓ１の側面ｓ１ｂを越えて左右に等しく延在し、且つ、係止背板ｓ２の下端ｓ２ｃは、本体ｓ１の裏面と略面一に形成さている。
【００７２】
また、本体ｓ１の前面ｓ１ｃと相対する側面ｓ１ｂとにより形成される角部には、前面ｓ１ｃに沿って、外側に延在する延長片ｓ３が形成されており、延長片ｓ３の先端からは、本体ｓ１の相対する側面ｓ１ｂに沿って、且つ、略平行に延在する弾性片ｓ４が形成されており、弾性片ｓ４の先端部には、本体ｓ１の側面ｓ１ｂから離反する方向に突出した垂直突条ｓ４ａが突設されている。
【００７３】
上述したように、短辺部１ｂに形成された側部・上部開放中央嵌合凹部２６に嵌合される摺動体Ｓ１、短辺部１ｂに形成された側部・上部開放側部嵌合凹部２７に嵌合される摺動体Ｓ２、連結部２に形成された上部開放中央嵌合凹部２８に嵌合される摺動体Ｓ１及び連結部２に形成された上部開放側部嵌合凹部２９に嵌合される摺動体Ｓ２は、全て、上述した摺動体Ｓ１の構成と実質的に同じである。
【００７４】
次に、摺動体Ｓ１への短辺部１ｂに形成された側部・上部開放中央嵌合凹部２６への取り付け、及び、摺動体Ｓ２への短辺部１ｂに形成された側部・上部開放側部嵌合凹部２７への取り付けについて説明するが、取り付け方法は同じであるので、摺動体Ｓ１の短辺部１ｂに形成された側部・上部開放中央嵌合凹部２６への取り付けについてのみ説明する。
【００７５】
短辺部１ｂに形成された側部・上部開放中央嵌合凹部２６の内壁２６ｃに穿設された嵌合透孔２６ｃ１に、短辺部１ｂの垂直外面１ｂ２側から、摺動体Ｓ１の前面ｓ１ｃを先にして、摺動体Ｓ１を挿入することにより、短辺部１ｂに形成された側部・上部開放中央嵌合凹部２６に、摺動体Ｓ１を取り付ける。短辺部１ｂに形成された側部・上部開放中央嵌合凹部２６に、摺動体Ｓ１が取り付けられた際には、摺動体Ｓ１に形成された弾性片ｓ４の垂直突条ｓ４ａが、側部・上部開放中央嵌合凹部２６の相対する側面２６ｂに、弾性片ｓ４の弾勢力により当接されるように構成されている。
【００７６】
図３５に示されているように、短辺部１ｂに形成された側部・上部開放中央嵌合凹部２６に取り付けられた摺動体Ｓ１を、連結部２方向に摺動させた際には、最終的には、摺動体Ｓ１に形成された係止背板ｓ２が、側部・上部開放中央嵌合凹部２６に形成された嵌合透孔２６ｃ１の上方に位置する内壁２６ｃに当接し、それ以上の摺動体Ｓ１の前進が阻止されるように構成されているとともに、摺動体Ｓ１の先端部が、短辺部１ｂの垂直内面１ｂ３から、連結部２方向に突出するように構成されている。また、この状態においては、図３６に示されているように、摺動体Ｓ１に形成された弾性片ｓ４の垂直突条ｓ４ａが、相対する側面２６ｂに突設された垂直突条２６ｂ１を越えて、連結部２側に位置するように構成されており、従って、簡単には、摺動体Ｓ１が、短辺部１ｂの垂直外面１ｂ２方向に、移動しないように構成されている。なお、摺動体Ｓ１の先端部が、短辺部１ｂの垂直内面１ｂ３から、連結部２方向に突出した状態を、以下、摺動体突出状態と称する。
【００７７】
図３５及び図３６に示されているように、摺動体Ｓ１の先端部が、連結部２方向に突出した状態、即ち、摺動体突出状態から、摺動体Ｓ１の前面ｓ１ｃを、短辺部１ｂの垂直外面１ｂ２方向に押すことにより、側部・上部開放中央嵌合凹部２６を構成する相対する側面２６ｂに突設された垂直突条２３ｂ１に当接或いは接近している、摺動体Ｓ１に形成された弾性片ｓ４の垂直突条ｓ４ａが、相対する弾性片ｓ４の弾勢力に抗して、相対する弾性片ｓ４を互いに接近する方向に弾性変形させて、摺動体Ｓ１に形成された弾性片ｓ４の垂直突条ｓ４ａが、相対する側面２６ｂに突設された垂直突条２３ｂ１を越えて、短辺部１ｂの垂直外面１ｂ２方向に移動し、摺動体Ｓ１が、短辺部１ｂに形成された側部・上部開放中央嵌合凹部２６内に収容され、摺動体Ｓ１の先端部が、短辺部１ｂの垂直内面１ｂ３から突出しないように構成されている。なお、摺動体Ｓ１が、短辺部１ｂに形成された側部・上部開放中央嵌合凹部２６内に収容された状態を、以下、摺動体収容状態という。
【００７８】
なお、上述した、短辺部１ｂに形成された側部・上部開放側部嵌合凹部２７への摺動体Ｓ２の取り付けは、上述した側部・上部開放中央嵌合凹部２６への摺動体Ｓ１の取り付けと同じであり、また、摺動体Ｓ２の摺動体突出状態も摺動体収容状態も同じであるので、その詳細な説明は省略する。
【００７９】
更に、連結部２に形成された上部開放中央嵌合凹部２８への摺動体Ｓ１の取り付けについては、上部開放中央嵌合凹部２８側から、上部開放中央嵌合凹部２８を形成する相対する壁２８ｃに穿設された嵌合透孔２８ｃ１に、それぞれ、２個の摺動体Ｓ１を取り付ける以外は、上述した、短辺部１ｂに形成された側部・上部開放中央嵌合凹部２６への摺動体Ｓ１の取り付けと同じであり、また、連結部２に形成された上部開放側部嵌合凹部２９への摺動体Ｓ２の取り付けについても、上部開放側部嵌合凹部２９側から、上部開放側部嵌合凹部２９を形成する相対する壁２９ｃに穿設された嵌合透孔２９ｃ１に、それぞれ、２個の摺動体Ｓ２を取り付ける以外は、上述した、短辺部１ｂに形成された側部・上部開放中央嵌合凹部２６への摺動体Ｓ１の取り付けと同じであるので、その詳細な説明は省略する。
【００８０】
図３７に示されているように、短辺部１ｂに形成された側部・上部開放中央嵌合凹部２６に取り付けられた摺動体Ｓ１の先端部が、連結部２方向に突出し、また、連結部２に形成された上部開放中央嵌合凹部２８に取り付けられた一対の摺動体Ｓ１の先端部が、短辺部１ｂ方向に突出した状態、即ち、摺動体Ｓ１が、全て、摺動体突出状態にあり、且つ、短辺部１ｂに形成された側部・上部開放側部嵌合凹部２７に取り付けられた摺動体Ｓ２及び連結部２に形成された上部開放側部嵌合凹部２９に取り付けられた摺動体Ｓ２が、共に、摺動体収容状態にある場合には、額縁状部１と、連結部２と、短辺部１ｂに形成された側部・上部開放中央嵌合凹部２６に取り付けられた摺動体Ｓ１の弾性片ｓ４と、連結部２に形成された上部開放中央嵌合凹部２８に取り付けられた摺動体Ｓ１の弾性片ｓ４とにより、同じ大きさの大きな４つの物品挿入用区画領域Ａ３が形成されるように構成されている。
【００８１】
また、図３８に示されているように、短辺部１ｂに形成された側部・上部開放側部嵌合凹部２７に取り付けられた摺動体Ｓ２の先端部が、連結部２方向に突出し、また、連結部２に形成された上部開放側部嵌合凹部２９に取り付けられた一対の摺動体Ｓ２の先端部が、短辺部１ｂ方向に突出した状態、即ち、摺動体Ｓ２が、全て、摺動体突出状態にあり、且つ、短辺部１ｂに形成された側部・上部開放中央嵌合凹部２６に取り付けられた摺動体Ｓ１及び連結部２に形成された上部開放中央嵌合凹部２８に取り付けられた一対の摺動体Ｓ１が、共に、摺動体収容状態にある場合には、額縁状部１と、連結部２と、短辺部１ｂに形成された側部・上部開放側部嵌合凹部２７に取り付けられた摺動体Ｓ２の弾性片ｓ４と、連結部２に形成された上部開放側部嵌合凹部２９に取り付けられた摺動体Ｓ２の弾性片ｓ４とにより、同じ大きさの小さな６つの物品挿入用区画領域Ａ４が形成されるように構成されている。
【００８２】
上述したように、仕切り部材Ｐ４”としての摺動体Ｓ１、Ｓ２を、仕切り部材本体Ｐ４’に配設することにより、中仕切りＰ４の物品挿入用区画領域Ａ３、Ａ４を、適宜、変更することができる。
【００８３】
また、摺動体Ｓ１、Ｓ２を摺動させることにより、中仕切りＰ４の物品挿入用区画領域Ａ３、Ａ４を、簡単に、変更することができるので、物品収容空間の変更作業の作業性は向上する。
【００８４】
次に、図３９〜図４７を用いて、更に他の中仕切りＰ５について説明する。
【００８５】
本実施例の中仕切りＰ５においても、上述した中仕切りＰ１、Ｐ２、Ｐ３、Ｐ４と同様に、額縁状部１と連結部２とからなる中仕切り本体Ｐ５’を有しており、中仕切り本体Ｐ５’は、上述した実施例の中仕切り本体Ｐ１’、Ｐ２’、Ｐ３’、Ｐ４’と同様であるので、その詳細な説明は省略する。
【００８６】
額縁状部１を構成する短辺部１ｂの中央部には、凹部３０が形成されている。凹部３０は、短辺部１ｂの長手方向に垂直な相対する側面３０ａと、短辺部１ｂの垂直外面１ｂ２に沿って形成された外壁部３０ｂとから形成されており、凹部３０は、その上下方向及び連結部２側の３方が開放されている。また、外壁部３０ｂの下端面３０ｂ１の中央部には、中央下部嵌合凹部３０ｃが形成されており、外壁部３０ｂの内面３０ｂ２には、中央下部嵌合凹部３０ｃを挟んで、縦方向に延在する一対の角柱状の突部３０ｄが突設されている。更に、一対の突部３０ｄより、側面３０ａ側に位置する外壁部３０ｂの上面３０ｂ３には、上面３０ｂ３から下方に延在する一対の上部嵌合凹部３０ｅが形成されている。なお更に、相対する側面３０ａの連結部２側の先端面には、側面３０ａに垂直な水平孔３０ａ１が形成されている。外壁部３０ｂの内面３０ｂ２と相対する突部３０ｄとにより、収容凹部３０ｆが形成されている。
【００８７】
図４１に示されているように、連結部２の相対する側面２ｂの中央部を切り欠くことにより形成された、連結部２の長手方向に垂直な相対する側面３１の中央部には、相対する側面３１を連結する連結ブロック３２が形成されている。また、連結ブロック３２の下端面３２ａの中央部には、上述した中央下部嵌合凹部３０ｃと同様の中央下部嵌合凹部３２ｂが形成されており、更に、連結ブロック３２の相対する側面３２ｃには、中央下部嵌合凹部３２ｂを挟んで、縦方向に延在する一対の角柱状の突部３２ｄが突設されている。なお更に、一対の突部３２ｄより、側面３１側に位置する連結ブロック３２の上面３２ｅには、上面３２ｅから下方に延在する一対の上部嵌合凹部３２ｆが形成されている。更にまた、連結ブロック３２を挟んで位置する相対する側面３１の連結部２の側面２ｂ寄りには、該側面３１に垂直な水平孔３１ａが形成されている。連結ブロック３２の側面３２ｃと相対する突部３２ｄとにより、連結部２には、連結ブロック３２を挟んで、上述した短辺部１ｂに形成された収容凹部３０ｆと同様の収容凹部３３が形成されている。
【００８８】
次に、図４２及び図４３を用いて、仕切り部材Ｐ５”としての回動体Ｓ３について説明する。
【００８９】
回動体Ｓ３は、略角柱状の回動体本体ｓ１０を有しており、回動体本体ｓ１０の長手方向に沿った相対する側面ｓ１０ａの一方の側面ｓ１０ａの中央部には、上述した額縁状部１を構成する短辺部１ｂの中央部に形成された収容凹部３０ｆや連結部２に形成された収容凹部３３に収容される、ブロック状の嵌合凸部ｓ１１が突設されている。また、嵌合凸部ｓ１１の先端面の中央部には、上述した額縁状部１を構成する短辺部１ｂの外壁部３０ｂに形成された中央下部嵌合凹部３０ｃや連結部２の連結ブロック３２に形成された中央下部嵌合凹部３２ｂに嵌合される中央嵌合突部ｓ１１ａが突設されている。
【００９０】
回動体本体ｓ１０の相対する側面ｓ１０ａのもう一方の側面ｓ１０ａの両端部には、額縁状部１を構成する短辺部１ｂの外壁部３０ｂに形成された上部嵌合凹部３０ｅや連結部２に形成された連結ブロック３２に形成された上部嵌合凹部３２ｆに嵌合される端部嵌合突部ｓ１２ａが突設された端部ブロックｓ１２が形成されている。また、回動体本体ｓ１０の側面ｓ１０ａに垂直な相対する端面ｓ１０ｂのブロック状の嵌合凸部ｓ１１側には、端面ｓ１０ｂに垂直に、枢支ピンｓ１３が突設されている。枢支ピンｓ１３は、額縁状部１を構成する短辺部１ｂに形成された凹部３０の相対する側面３０ａに形成された水平孔３０ａ１や、連結部２の相対する側面３１に形成された水平孔３１ａに嵌合されるように構成されている。
【００９１】
図４４や図４５に示されているように、回動体Ｓ３の回動体本体ｓ１０の端面ｓ１０ｂに突設された枢支ピンｓ１３を、額縁状部１を構成する短辺部１ｂに形成された凹部３０の相対する側面３０ａに形成された水平孔３０ａ１に嵌合することにより、回動体Ｓ３を、額縁状部１を構成する短辺部１ｂに枢支するように構成されている。同様に、回動体Ｓ３の回動体本体ｓ１０の端面ｓ１０ｂに突設された枢支ピンｓ１３を、連結部２の相対する側面３１に形成された水平孔３１ａに嵌合することにより、回動体Ｓ３を、連結部２に枢支するように構成されている。このようにして、回動体Ｓ３を、額縁状部１を構成する短辺部１ｂに１個、及び、連結部２に２個、取り付けることにより、中仕切り本体Ｐ５’と仕切り部材Ｐ５”としての回動体Ｓ３とにより、本実施例の中仕切りＰ５が構成されることになる。
【００９２】
図４４に示されているように、額縁状部１を構成する短辺部１ｂに取り付けられた回動体Ｓ３の回動体本体ｓ１０に突設された端部嵌合突部ｓ１２ａが、短辺部１ｂの垂直内面１ｂ３から連結部２方向に突出している際には、回動体Ｓ３の嵌合凸部ｓ１１が、短辺部１ｂに形成された収容凹部３０ｆに収容されているとともに、回動体Ｓ３の中央嵌合突部ｓ１１ａが、凹部３０を構成する外壁部３０ｂに形成された中央下部嵌合凹部３０ｃに嵌合されるように構成されている。
【００９３】
図４４に示されている状態から、回動体Ｓ３を１８０度、回動させて、図４５に示されているように、額縁状部１を構成する短辺部１ｂに取り付けられた回動体Ｓ３の回動体本体ｓ１０の嵌合凸部ｓ１１に突設された中央嵌合突部ｓ１１ａが、短辺部１ｂの垂直内面１ｂ３から連結部２方向に突出するようにした際には、回動体Ｓ３の回動体本体ｓ１０に形成された端部嵌合突部ｓ１２ａが、凹部３０を構成する外壁部３０ｂに形成された上部嵌合凹部３０ｅに嵌合されるように構成されている。
【００９４】
なお、連結部２に取り付けられた回動体Ｓ３の端部嵌合突部ｓ１２ａの突出状態も中央嵌合突部ｓ１１ａの突出状態も、上述した額縁状部１を構成する短辺部１ｂに取り付けられた回動体Ｓ３と同様であるので、詳細な説明は省略する。
【００９５】
図４６に示されているように、額縁状部１を構成する短辺部１ｂに取り付けられた回動体Ｓ３の回動体本体ｓ１０に突設された中央嵌合突部ｓ１１ａが、連結部２方向に突出し、また、連結部２に取り付けられた回動体Ｓ３の回動体本体ｓ１０に突設された中央嵌合突部ｓ１１ａが、額縁状部１を構成する短辺部１ｂ方向に突出した状態においては、額縁状部１と、連結部２と、短辺部１ｂに取り付けられた回動体Ｓ３の回動体本体ｓ１０に突設された嵌合凸部ｓ１１と、連結部２に取り付けられた回動体Ｓ３の回動体本体ｓ１０に突設された嵌合凸部ｓ１１とにより、同じ大きさの大きな４つの物品挿入用区画領域Ａ３が形成されるように構成されている。
【００９６】
また、図４７に示されているように、額縁状部１を構成する短辺部１ｂに取り付けられた回動体Ｓ３の回動体本体ｓ１０に突設された端部嵌合突部ｓ１２ａが、連結部２方向に突出し、また、連結部２に取り付けられた回動体Ｓ３の回動体本体ｓ１０に突設された端部嵌合突部ｓ１２ａが、額縁状部１を構成する短辺部１ｂ方向に突出した状態においては、額縁状部１と、連結部２と、短辺部１ｂに取り付けられた回動体Ｓ３の回動体本体ｓ１０に突設された端部ブロックｓ１２と、連結部２に取り付けられた回動体Ｓ３の回動体本体ｓ１０に突設された端部ブロックｓ１２とにより、同じ大きさの小さな６つの物品挿入用区画領域Ａ４が形成されるように構成されている。
【００９７】
上述したように、仕切り部材Ｐ５”としての回動体Ｓ３を、仕切り部材本体Ｐ５’に配設することにより、中仕切りＰ５の物品挿入用区画領域Ａ３、Ａ４を、適宜、変更することができる。
【００９８】
また、回動体Ｓ３を回動させることにより、中仕切りＰ５の物品挿入用区画領域Ａ３、Ａ４を、簡単に、変更することができるので、物品収容空間の変更作業の作業性は向上する。
【符号の説明】
【００９９】
Ａ１、Ａ２・・・・・・・・・・・・・・・物品収容空間
Ａ３、Ａ４・・・・・・・・・・・・・・・物品挿入用区画領域
Ｃ・・・・・・・・・・・・・・・・・・・コンテナー
Ｐ１〜Ｐ５・・・・・・・・・・・・・・・中仕切り
Ｐ１’〜Ｐ５’・・・・・・・・・・・・・中仕切り本体
Ｐ１”〜Ｐ５”・・・・・・・・・・・・・仕切り部材
９ａ・・・・・・・・・・・・・・・・・・杆状本体
９ｂ・・・・・・・・・・・・・・・・・・嵌合片
１２・・・・・・・・・・・・・・・・・・杆状体
【図１】
0005474520.tif 000002
【図２】
0005474520.tif 000003
【図３】
0005474520.tif 000004
【図４】
0005474520.tif 000005
【図５】
0005474520.tif 000006
【図６】
0005474520.tif 000007
【図７】
0005474520.tif 000008
【図８】
0005474520.tif 000009
【図９】
0005474520.tif 000010
【図１０】
0005474520.tif 000011
【図１１】
0005474520.tif 000012
【図１２】
0005474520.tif 000013
【図１３】
0005474520.tif 000014
【図１４】
0005474520.tif 000015
【図１５】
0005474520.tif 000016
【図１６】
0005474520.tif 000017
【図１７】
0005474520.tif 000018
【図１８】
0005474520.tif 000019
【図１９】
0005474520.tif 000020
【図２０】
0005474520.tif 000021
【図２１】
0005474520.tif 000022
【図２２】
0005474520.tif 000023
【図２３】
0005474520.tif 000024
【図２４】
0005474520.tif 000025
【図２５】
0005474520.tif 000026
【図２６】
0005474520.tif 000027
【図２７】
0005474520.tif 000028
【図２８】
0005474520.tif 000029
【図２９】
0005474520.tif 000030
【図３０】
0005474520.tif 000031
【図３１】
0005474520.tif 000032
【図３２】
0005474520.tif 000033
【図３３】
0005474520.tif 000034
【図３４】
0005474520.tif 000035
【図３５】
0005474520.tif 000036
【図３６】
0005474520.tif 000037
【図３７】
0005474520.tif 000038
【図３８】
0005474520.tif 000039
【図３９】
0005474520.tif 000040
【図４０】
0005474520.tif 000041
【図４１】
0005474520.tif 000042
【図４２】
0005474520.tif 000043
【図４３】
0005474520.tif 000044
【図４４】
0005474520.tif 000045
【図４５】
0005474520.tif 000046
【図４６】
0005474520.tif 000047
【図４７】
0005474520.tif 000048